(57)【要約】【課題】会員の加入を簡易に実行できるようにする。【解決手段】サーバ２００は、携帯電話機３００に対して送信する乱数を生成するステップ（Ｓ１５）と、前記乱数を登録するステップ（Ｓ１６）と、前記乱数を送信するステップ（Ｓ１７）と、登録した乱数と前記送信に応答して返答される乱数とが一致したと判断された場合に会員登録希望者のカードＩＤを登録するステップ（Ｓ２３）とを実行する。【選択図】図３
2009048297.tif 000002
【特許請求の範囲】
【請求項１】
情報処理端末に対して送信するユニークコードを生成する生成手段と、
前記生成手段によって生成されたユニークコードを登録する第１登録手段と、
前記生成手段によって生成されたユニークコードを送信する送信手段と、
前記第１登録手段によって登録されたユニークコードと前記送信手段による送信に応答して返答されるユニークコードとが一致したと判断された場合に会員登録希望者のカードＩＤを登録する第２登録手段とを備える、会員加入促進サーバ。
【請求項２】
前記生成手段は、前記カードＩＤ又はその一部を受信したことに起因して、前記ユニークコードを生成する、請求項１記載の会員加入促進サーバ。
【請求項３】
さらに、前記生成手段によって生成されたユニークコードを含むアドレスを作成する作成手段と、
前記作成手段によって作成されたアドレスを携帯電話機に搭載されている撮像手段で撮像可能なコードに変換する変換手段とを備え、
前記送信手段は、前記変換手段によって変換されたコードを送信する、請求項１記載の会員加入促進サーバ。
【請求項４】
前記情報処理端末から前記ユニークコード及び前記カードＩＤを送信するために必要なアプリケーションプログラムを、当該情報処理端末に送信するプログラム送信手段を備える、請求項１記載の会員加入促進サーバ。
【請求項５】
前記情報処理端末からユニークコードが送信された場合に当該ユニークコードと前記登録手段によって登録された前記ユニークコードとを照合する照合手段を備える、請求項１記載の会員加入促進サーバ。
【請求項６】
会員登録希望者のカードＩＤ及び会員加入促進サーバのアドレスを含むユニークコードを生成する端末と、
前記カードＩＤと登録済みのカードＩＤとを照合する照合手段と、
前記照合手段の照合により前記カードＩＤが登録済みでないと判定された場合に当該カードＩＤを登録する第１登録手段と、
前記会員登録希望者から会員ページにログインする際に用いる符号が送信された場合に当該符号を前記カードＩＤに紐付けて登録する第２登録手段とを備える、会員加入促進システム。
【請求項７】
会員登録希望者のカードＩＤ及び会員登録希望者のアドレスを受信する受信手段と、
前記受信手段によって受信されたカードＩＤと登録済みのカードＩＤとを照合する照合手段と、
前記照合手段の照合により前記カードＩＤが登録済みでないと判定された場合に当該カードＩＤを登録する第１登録手段と、
前記前記受信手段によって受信されたアドレス宛に会員ページにログインする際に用いる符号の入力を促すメールを送信する送信手段と、
前記会員登録希望者から前記符号が送信された場合に当該符号を前記カードＩＤに紐付けて登録する第２登録手段とを備える、会員加入促進サーバ。
【請求項８】
請求項１記載の会員加入促進サーバと、前記会員加入促進サーバと通信を行う情報処理端末とを備える会員加入促進システム。
【発明の詳細な説明】
【技術分野】
【０００１】
本発明は、会員加入促進システムに関し、特に、会員希望者が既に所有しているポイントカードに対して別の事業者が発行するポイントを蓄積したり、ポイントカードに蓄積されているポイントを別の事業者の店舗等で使用したりするための会員加入促進システムに関する。
【背景技術】
【０００２】
従来、ユーザに簡易なアクションで複数の事業者が発行するポイントを獲得できるようにする技術が存在する（特許文献１）。特許文献１には、商品等の提供に付随してユーザにポイントを発行する事業者のポイント発行システムからネットワーク経由で取得したポイント情報をユーザＩＤに関連付けて格納するポイント情報ＤＢと、複数のポイント発行システムがＷｅｂサイト上でユーザにポイントを発行するためのアクションを格納するポイント発行条件ＤＢと、ポイント発行システムに対してポイント発行アクションを実行してユーザにポイント情報を獲得させ、このポイント情報をポイント情報ＤＢに格納するポイント発行アクション実行部とを備えている。
【０００３】
【特許文献１】特開２００６−２３５９５１号公報
【発明の開示】
【発明が解決しようとする課題】
【０００４】
しかし、特許文献１に記載されている発明は、会員希望者が既に所有しているポイントカードに対して別の事業者が発行するポイントを蓄積したり、ポイントカードに蓄積されているポイントを別の事業者の店舗等で使用したりするための会員加入について工夫されていない。これでは、上記会員の加入促進が図れないので、何らかの対策が必要である。
【０００５】
そこで、本発明は、携帯電話機を含む通信端末を用いて、上記会員の加入を簡易に実行できるようにすることを課題とする。
【課題を解決するための手段】
【０００６】
上記課題を解決するために、本発明の会員加入促進サーバ又はシステムは、
情報処理端末に対して送信するユニークコードを生成する生成手段と、
前記生成手段によって生成されたユニークコードを登録する第１登録手段と、
前記生成手段によって生成されたユニークコードを送信する送信手段と、
前記第１登録手段によって登録されたユニークコードと前記送信手段による送信に応答して返答されるユニークコードとが一致したと判断された場合に会員登録希望者のカードＩＤを登録する第２登録手段とを備える。
【０００７】
具体的には、例えば、図２に示す動作を実行するためには、情報処理端末として、携帯電話機３００を用いる。この場合、前記生成手段は、リーダ１００からの前記カードＩＤを受信したことに起因して、前記ユニークコードである乱数を生成することになる。
【０００８】
また、例えば、図３に示す動作を実行するためには、情報処理端末として、携帯電話機３００を用いる。この場合、前記生成手段は、携帯電話機３００からのカードＩＤの一部を受信したことに起因して、前記ユニークコードである乱数を生成することになる。
【０００９】
さらに、例えば、図４に示す動作を実行するためには、情報処理端末として、パーソナルコンピュータ（ＰＣ）４００を用いる。この場合、前記生成手段は、ＰＣ４００からの空メールを受信したことに起因して、前記ユニークコードである乱数を生成することになる。
【００１０】
また、前記生成手段によって生成されたユニークコードを含むアドレスを作成する作成手段と、
前記作成手段によって作成されたアドレスを携帯電話機に搭載されている撮像手段で撮像可能なコードに変換する変換手段とを備え、
前記送信手段は、前記変換手段によって変換されたコードを送信するようにしてもよい。
【００１１】
こうすると、図２を用いて後述するように、会員加入希望者は、携帯電話機３００に搭載されている撮像手段等を利用して、容易に、会員加入処理を行うことが可能となる。
【００１２】
また、前記情報処理端末から前記ユニークコード及び前記カードＩＤを送信するために必要なアプリケーションプログラムを、当該情報処理端末に送信するプログラム送信手段を備えてもよい。
【００１３】
こうすると、図４を用い手後述するように、会員加入希望者は、ＰＣ４００を利用して、容易に、会員加入処理を行うことが可能となる。
【００１４】
さらに、前記情報処理端末からユニークコードが送信された場合に当該ユニークコードと前記登録手段によって登録された前記ユニークコードとを照合する照合手段を備えるとよい。
【００１５】
こうすると、リーダ１００が設置されている店舗の店員が照合作業を行わなくてもよい。
【００１６】
また、本発明の会員加入促進システムは、
会員登録希望者のカードＩＤ及び会員加入促進サーバのアドレスを含むユニークコードを生成する端末と、
前記カードＩＤと登録済みのカードＩＤとを照合する照合手段と、
前記照合手段の照合により前記カードＩＤが登録済みでないと判定された場合に当該カードＩＤを登録する第１登録手段と、
前記会員登録希望者から会員ページにログインする際に用いる符号が送信された場合に当該符号を前記カードＩＤに紐付けて登録する第２登録手段とを備える。
【００１７】
さらに、本発明の会員加入促進システムは、
会員登録希望者のカードＩＤ及び会員登録希望者のアドレスを受信する受信手段と、
前記受信手段によって受信されたカードＩＤと登録済みのカードＩＤとを照合する照合手段と、
前記照合手段の照合により前記カードＩＤが登録済みでないと判定された場合に当該カードＩＤを登録する第１登録手段と、
前記前記受信手段によって受信されたアドレス宛に会員ページにログインする際に用いる符号の入力を促すメールを送信する送信手段と、
前記会員登録希望者から前記符号が送信された場合に当該符号を前記カードＩＤに紐付けて登録する第２登録手段とを備える。
【００１８】
このような会員加入促進サーバ又はシステムでも、図５を用いて後述するように、会員加入希望者は、携帯電話機３００に搭載されている撮像手段等を利用して、容易に、会員加入処理を行うことが可能となる。
【発明の実施の形態】
【００１９】
以下、本発明の実施形態及び実施例について、図面を参照して説明する。
（実施形態１）
図１は、本発明の実施形態１の会員加入促進システムの機能ブロック図である。図１には、以下説明する、リーダ１００と、サーバ２００と、携帯電話機３００と、パーソナルコンピュータ（Personal Computer：ＰＣ）４００と、ネットワーク５００と、を示している。
【００２０】
リーダ１００は、通例、店舗の金銭登録器付近などに設置されている。或いは、リーダ１００は、ＵＳＢ（Universal Serial Bus）端子などを介してＰＣ４００に接続される。リーダ１００は、クレジット機能、デポジット機能などを備えたＩＣカードに格納されているカードＩＤ、会員情報等を読み取る。リーダ１００は、ネットワーク５００への通信機能を有しているとよい。
【００２１】
本実施形態では、ＩＣカード内にＲＦＩＤ（Radio Frequency Identification）タグを埋め込み、リーダ１００としてＲＦＩＤリーダを採用している。また、リーダ１００は、読み取った情報等に対して自リーダに固有に割り当てられているリーダＩＤを付加して、サーバ２００に送信する。
【００２２】
サーバ２００には、会員情報等と、カードＩＤと、会員に対して付与したポイント数とが紐付けられて登録される。サーバ２００の具体的な構成は後述するが、サーバ２００での処理は、例えば、マルチタスク方式を採用している。
【００２３】
携帯電話機３００は、ネットワーク５００を介して、サーバ２００に対して会員に加入するために必要な情報を送信するものである。なお、携帯電話機３００は例示的に示しており、ＰＤＡ（Personal Digital Assistant）のように通信機能を有する携帯端末のように、通信端末であればよい。
【００２４】
ＰＣ４００は、ネットワーク５００を介して、サーバ２００に対して会員に加入するために必要な情報を送信するものである。この点では、本実施形態の会員加入促進システムでは、ＰＣ４００は、携帯電話機３００と同様に用いられる。
【００２５】
ネットワーク５００は、インターネットなどの広域通信ネットワーク、携帯電話機３００と広域通信ネットワークとを接続する携帯無線ネットワーク、ＰＣと広域通信ネットワークとを接続する高速ＬＡＮ（Local Area Network）ネットワークなどを含むネットワークの総称である。
【００２６】
サーバ２００は、以下説明する、通信手段２１０と、乱数生成手段２２０と、アドレス作成手段２３０と、コード作成手段２４０と、登録手段２５０と、照合手段２６０とを備える。
【００２７】
通信手段２１０は、ネットワーク５００を通じて、携帯電話機３００又はリーダ１００との間の通信を行うものである。通信手段２１０は、一例として、リーダ１００から送信されるカードＩＤの受信と、以下説明する乱数に基づくメールアドレスをコード化したコード（例えば、ＱＲ（Quick Response）コード（登録商標））のリーダ１００への送信と、携帯電話機３００に搭載されている撮像手段によってＱＲコードを撮像することに起因して携帯電話機３００から送信されるメールの受信とを行う。このほかの通信態様については、各実施形態で説明する。
【００２８】
乱数生成手段２２０は、通信手段２１０によって携帯電話機３００又はリーダ１００に対して送信される、ユニークコードであるところの乱数を生成するものである。この乱数は、会員加入申請の際に、会員加入希望者から携帯電話機３００から送信させるものである。
【００２９】
アドレス作成手段２３０は、乱数生成手段２２０によって生成された乱数を含むメールアドレスを作成するものである。アドレス作成手段２３０によって作成されたメールアドレスは、コード化されてサーバ２００に送信される。
【００３０】
コード作成手段２４０は、アドレス作成手段２３０によって作成されたメールアドレスに対応するＱＲコードを作成するものである。ＱＲコードは例示であり、他の二次元バーコードを含む種々のバーコードとすることも可能である。
【００３１】
登録手段２５０は、会員登録前にあっては、一例として、通信手段２１０によって受信されたカードＩＤと乱数生成手段２２０によって生成された乱数とを、データベース（ＤＢ）に登録するものである。また、登録手段２５０は、会員登録前にあっては、携帯電話機３００に搭載されている撮像手段によってＱＲコードが読み取られ、携帯電話機３００から送信されるメールに付されている送信元のメールアドレスも上記カードＩＤ等に紐付けしてＤＢに登録する。一方、登録手段２５０は、会員登録後にあっては、会員情報等とカードＩＤと会員に対して付与したポイント数とを登録するものである。
【００３２】
照合手段２６０は、通信手段２１０によって送信されたメールに含まれる乱数と、携帯電話機３００又はリーダ１００又はＰＣ４００から送信される乱数との照合を行うものである。また、照合手段２６０は、携帯電話機３００又はリーダ１００又はＰＣ４００から送信されたメールの送信元（メールアドレス）と、ＤＢに登録されているメールアドレスとを照合するものである。
【００３３】
図２は、図１に示す会員加入促進システムの動作を示すタイムチャートである。まず、会員加入希望者又は店員がＩＣカードをリーダ１００に翳す。これにより、リーダ１００は、ＩＣカードがリーダ１００に対して所定距離内に位置すると、ＩＣカード内に格納されているカードＩＤを読み取る（ステップＳ５１）。
【００３４】
リーダ１００は、読み取ったカードＩＤに対して自リーダに割り当てられている固有のリーダＩＤを付加して、ネットワーク５００を介して、サーバ２００に送信し、サーバ２００では、通信手段２１０が、リーダ１００から送信されるカードＩＤ等を受信する（ステップＳ５２）。
【００３５】
サーバ２００は、例えば、１０秒毎などの所定間隔で、カードＩＤ等の受信確認イベントが発生するようにしておき、オペレーションシステム又は所定のアプリケーションプログラムがこのイベントを検知したときに、カードＩＤ等の受信の有無を確認する。なお、以下、サーバ２００でなされる各処理は、同様に、イベントドリブン方式で実行される。また、確認の結果、カードＩＤを受信している場合には、乱数生成手段２２０は、乱数を生成する（ステップＳ５３）。
【００３６】
つぎに、アドレス作成手段２３０は、乱数生成手段２２０によって生成された乱数を含むメールアドレスを作成する（ステップＳ５４）。
【００３７】
具体的には、乱数生成手段２２０によって生成された乱数が「1234」である場合には、アドレス作成手段２３０は、「1234@kanyuhsokushin.com」のようにアカウントとして当該乱数を割り当てたメールアドレス、或いは、「kanyuhsokushin1234@kanyuhsokushin.com」のようにアカウントの一部に当該乱数を含むメールアドレスを作成する。
【００３８】
なお、メールアドレスに含まれるドメイン名は、図１に示す会員加入促進システムの管理者等が取得し、当該ドメイン名を含むメールアドレスとサーバ２００とを紐付けしておく。
【００３９】
つづいて、コード作成手段２４０は、アドレス作成手段２３０によって作成されたメールアドレスに対応するＱＲコードを作成する（ステップＳ５５）。
【００４０】
また、登録手段２５０は、通信手段２１０によって受信されたカードＩＤと乱数生成手段２２０によって生成された乱数とを、一対でＤＢに仮登録する。
【００４１】
その後、通信手段２１０は、コード作成手段２４０によって作成されたＱＲコードを、ネットワーク５００を介してリーダ１００に対して送信し、リーダ１００はこれを受信する（ステップＳ５６）。
【００４２】
リーダ１００は、通信手段２１０から送信されたＱＲコードを受信すると、そのＱＲコードをリーダ１００に付帯するディスプレイに表示する（ステップＳ５７）。
【００４３】
この結果、会員加入希望者が携帯電話機３００に搭載されている撮像手段によって、そのＱＲコードを撮像すると、携帯電話機３００に乱数付きのメールアドレスが取り込まれる（ステップＳ５８）。
【００４４】
携帯電話機３００は、メールアドレスの取り込みを行うと、既知のアプリケーションプログラムにより、そのメールアドレス宛てのメール作成を行う。その後、会員加入希望者が携帯電話機３００を操作することによって、ネットワーク５００を介して、当該メールをサーバ２００に送信すると、サーバ２００では、通信手段２１０が、リーダ１００から送信されるメールを受信する（ステップＳ５９）。
【００４５】
照合手段２６０は、受信したメールのメールアドレスに含まれる乱数とＤＢに登録済みの乱数とを照合する（ステップＳ６０）。
【００４６】
照合の結果、受信したメールのメールアドレスに含まれる乱数がＤＢに登録されていなければ、以後の処理を中止する。一方、受信したメールのメールアドレスに含まれる乱数がＤＢに登録されていれば、仮登録してあるカードＩＤに対して、前記メールの送信元のメールアドレスを紐付けて、正式に会員登録を行うためにＤＢに本登録し、選択的に、本登録を行った旨を、携帯電話機３００に返信する（ステップＳ６１）。
【００４７】
以上説明した処理手順によると、会員加入希望者は、図１に示す会員加入促進システムを利用してサーバ２００に係る会員に加入するためには、
（１）カードＩＤを読み取るために（ステップＳ５１）、ＩＣカードをリーダ１００に翳すこと、
（２）乱数付きメールアドレスを取得するために（ステップＳ５８）、ＱＲコードを撮像という携帯電話機３００を操作すること、
（３）乱数を送信するために（ステップＳ５９）、携帯電話機３００を操作することという、３つの処理を行えばよい。
【００４８】
（実施形態２）
図３は、本発明の実施形態２の会員加入促進システムの動作を示すタイムチャートである。会員加入促進システム及びサーバ２００の構成は、実施形態１の場合と同様であるが、後述するＵＲＬ（Uniform Resource Locator）と各リーダ１００に対して固有に割り当てられているリーダＩＤ及びメールアドレスとを紐付けてサーバ２００に登録しておく。
【００４９】
また、携帯電話機３００には、サーバ２００から送信された乱数を受信すると、当該乱数をディスプレイに表示させるためのアプリケーションプログラムを記憶させておく。なお、このアプリケーションプログラムは、会員加入希望者が携帯電話機３００を操作することにより、図示しないアプリケーションサーバからダウンロード可能としておく。
【００５０】
まず、リーダ１００は、店員等により、以下説明する会員加入処理が完了するまで、リーダ１００に対して他の処理要求がなされないように、ロック処理を行う（ステップＳ１１）。
【００５１】
つぎに、会員加入希望者が携帯電話機３００に搭載されている撮像手段によって、リーダ１００に付帯するディスプレイに表示される、又は、紙面などに印字されているＱＲコードを撮像する。このＱＲコードは、リーダ１００に固有に割り当てられているＵＲＬに対応するものである。（ステップＳ１２）。
【００５２】
上記撮像がなされると、携帯電話機３００には、ＵＲＬの読み取りがなされることになる（ステップＳ１３）。
【００５３】
携帯電話機３００は、ＵＲＬの取り込みを行うと、既知のアプリケーションプログラムにより、そのＵＲＬが表示されるリンクページの作成を行う。その後、会員加入希望者が、携帯電話機３００を操作することによって、当該ＵＲＬを通じて、サーバ２００にアクセスする。サーバ２００は、そのＵＲＬを参照することによって、いずれのリーダ１００に係るＱＲコードに基づいてアクセスされたかを取得することが可能となる。
【００５４】
そして、会員加入希望者が、携帯電話機３００を操作することによって、ウェブメールなどを用いて、送信元アドレスとして自携帯電話機に割り当てられているメールアドレスをサーバ２００に対して送信する。この際、ウェブメールなどには、不正な会員登録要求がなされることを防止するために、ＩＣカードに割り当てられているカードＩＤの一部を、ウェブメールなどに選択的に付加して、サーバ２００に対して送信してもよい（ステップＳ１４）。
【００５５】
サーバ２００では、通信手段２１０が、携帯電話機３００から送信されるウェブメールなどを受信すると、ステップＳ５３と同様に、乱数生成手段２２０により乱数が生成される（ステップＳ１５）。
【００５６】
つぎに、登録手段２５０は、通信手段２１０によって受信されたウェブメール等の送信元のアドレスと乱数生成手段２２０によって生成された乱数とを一対でＤＢに登録する（ステップＳ１６）。
【００５７】
なお、携帯電話機３００からサーバ２００に対して、カードＩＤの一部が送信されてきた場合には、登録手段２５０は、併せて、乱数等とともにカードＩＤの一部も登録する。
【００５８】
その後、通信手段２１０は、乱数生成手段２２０によって生成された乱数を、受信済みのウェブメール等の送信元アドレスに基づいて、ネットワーク５００を介して、携帯電話機３００に対して送信する（ステップＳ１７）。
【００５９】
携帯電話機３００は、通信手段２１０によって送信された乱数を受信すると、既述のアプリケーションプログラムに従って、その乱数をディスプレイに表示する（ステップＳ１８）。
【００６０】
同様に、通信手段２１０は、乱数生成手段２２０によって生成された乱数を、受信済みのメールに係るリーダ１００のメールアドレスに基づいて、ネットワーク５００を介して、リーダ１００に対しても送信する（ステップＳ１９）。
【００６１】
リーダ１００は、通信手段２１０によって送信された乱数を受信すると、その乱数をリーダ１００に付帯するディスプレイに表示する（ステップＳ２０）。
【００６２】
ステップＳ１８，Ｓ１９が実行された結果、リーダ１００及び携帯電話機３００の各ディスプレイには、サーバ２００から送信された乱数がそれぞれ表示されることになる。このため、店員等が、各乱数が相互に一致しているか否かを照合することができる。
【００６３】
店員等は、照合の結果、乱数が相互に一致していなければ、以後の処理を行わない。一方、乱数が相互に一致していれば、店員等がＩＣカードをリーダ１００に翳す。これにより、リーダ１００は、そのＩＣカードに格納されているカードＩＤを読み取る（ステップＳ２１）。
【００６４】
リーダ１００は、読み取ったカードＩＤに対して、自リーダに割り当てられているリーダＩＤ及びサーバ２００から送信された乱数を付加して、ネットワーク５００を介してサーバ２００に送信し、サーバ２００では、通信手段２１０が、リーダ１００から送信されるカードＩＤ等を受信する（ステップＳ２２）。
【００６５】
リーダ１００から送信されるカードＩＤ等は、ステップＳ１９で乱数を送信する際に用いられたメールに対する返信メールの本文に含めてもよいし、実施形態１で説明したように乱数をメールアドレスの一部とすることでメール作成の手間を省いてもよい。
【００６６】
つぎに、サーバ２００では、登録手段２５０が、リーダ１００から送信される乱数に基づいてＤＢを参照して、ステップＳ１６において登録したメールアドレス等とステップＳ２２において受信したカードＩＤとを紐付けてＤＢに登録し、選択的に、本登録を行った旨を、携帯電話機３００に返信する（ステップＳ２３）。
【００６７】
以上説明した処理手順によると、会員加入希望者は、本実施形態の会員加入促進システムを利用してサーバ２００に係る会員に加入するためには、
（１）乱数を取得するために（ステップＳ１７）、ＱＲコードを撮像という携帯電話機３００を操作すること、
（１）ＱＲコードの撮像後に、サーバ２００にアクセスすること（ステップＳ１４）、
（３）カードＩＤを読み取るために（ステップＳ２１）、店員等に対してＩＣカードを手渡すことという、３つの処理を行えばよい。
【００６８】
（実施形態３）
図４は、本発明の実施形態３の会員加入促進システムの動作を示すタイムチャートである。本実施形態では、会員加入希望者の自宅などに設置されているＰＣから会員加入を促進する場合の説明を行う。会員加入促進システム及びサーバ２００の構成は、実施形態１の場合と同様であるが、携帯電話機３００に代えてＰＣ４００から会員登録を行えるようにしていることに付随して、後述するアプリケーションプログラムをサーバ２００内の図示しないメモリに登録してある。
【００６９】
また、本実施形態の会員加入促進システムでは、サーバ２００に付帯するホームページ（ＨＰ）を開設しておく。このＨＰには、「会員登録ボタン」を設けておき、会員加入希望者がマウス等で「会員登録ボタン」をクリックすると、ウェブメール等を用いて、サーバ２００に対していわゆる空メールが送信されるようにしておく。また、このＨＰには、上記アプリケーションプログラムの「ダウンロード要求ボタン」を設けておき、会員加入希望者がマウス等で「ダウンロード要求ボタン」をクリックして、所要の操作を行うと、当該アプリケーションプログラムのダウンロードが実行されるようにしておく。
【００７０】
会員加入希望者がＰＣ４００を操作することにより、上記ＨＰを通じて、サーバ２００に対して空メールを送信し、サーバ２００では通信手段２１０が、このメールを受信したとする（ステップＳ３１）。
【００７１】
この場合には、乱数生成手段２２０は、ステップＳ１５の場合と同様に、乱数を生成する（ステップＳ３２）。そして、登録手段２５０は、実施形態１の場合と同様に、空メールの送信元アドレスと乱数とを一対でＤＢに仮登録する（ステップＳ３３）。
【００７２】
つづいて、図示しない作成手段は、乱数生成手段２２０によって生成された乱数が表示されるウェブページ、又は、当該乱数を含有するメールを作成する。ウェブページ等の作成には、既知のように、Java Server Pages（ＪＳＰ）、Hypertext Preprocessor（ＰＨＰ）、Active Server Pages（ＡＳＰ）などを用いることで実現できるが、原理的には、乱数部分をブランクとしたウェブページの素ページを予め登録しておき、乱数生成手段２２０によって乱数が生成された場合に、作成手段がその素ページに対して乱数を埋め込むことで、送信対象のウェブページを作成する。本実施形態では、当該乱数をテキストではなく図面として埋め込むようにして、不正会員登録を制限できるようにしている。
【００７３】
その後、通信手段２１０は、作成手段によって作成されたウェブページ等を、ネットワーク５００を介してＰＣ４００に対して送信し、ＰＣ４００はこれを受信する（ステップＳ３４）。
【００７４】
つづいて、会員加入希望者が上記ＨＰ内の「ダウンロード要求ボタン」をマウス等でクリックして、所要の操作を行うと、サーバ２００は、当該アプリケーションプログラムをメモリから読み出して、ＰＣ４００へ送信する（ステップＳ３６）。
【００７５】
このアプリケーションプログラムは、ＰＣ４００に接続されるＰＣ用のリーダ１００に対して、カードＩＤの読取命令を行い、この読取命令に従ってリーダ１００で読み取られたカードＩＤに、会員加入希望者から入力された上記乱数を付加して、サーバ２００に送信するという処理などをＰＣ４００に実行させるためのプログラムである。
【００７６】
会員加入希望者が、ＰＣ４００に対して、ダウンロードされたアプリケーションプログラムを起動する指示を入力して、ＰＣ４００が、実際に当該アプリケーションプログラムが起動したとする（ステップＳ３７）。
【００７７】
すると、ＰＣ４００は、アプリケーションプログラムに従って、乱数の入力画面ページを読み出してディスプレイに表示する。そして、会員加入希望者が、その入力画面ページを通じて、ステップＳ３４で受信した乱数を、キーボードなどを通じて入力すると、ＰＣ４００では、その乱数を取り込む（ステップＳ３８）。
【００７８】
つぎに、ＰＣ４００は、アプリケーションプログラムに従って、ＰＣ用のリーダ１００に対して、カードＩＤの読取命令を行う。リーダ１００は、この読取命令に従ってＩＣカードからカードＩＤを読み取り、ＰＣ４００に出力し、ＰＣ４００はこのカードＩＤを入力する（ステップＳ３９）。
【００７９】
もっとも、ＰＣ４００に対するカードＩＤの入力は、リーダ１００を用いることなく、会員加入希望者が、手入力することで実現してもよい。
【００８０】
ＰＣ４００は、リーダ１００から出力されたカードＩＤに対して、会員加入希望者から入力された乱数を付加して、ウェブメール等を用いて、サーバ２００に送信し、サーバ２００はこれらを受信する（ステップＳ４０）。
【００８１】
サーバ２００は、ステップＳ６０の場合と同様に、ウェブメール等の送信元アドレスに基づいてＤＢを参照し、登録済みの送信元アドレスに対応する乱数と、ウェブメール等に含まれる乱数とを対比して、乱数相互を照合する（ステップＳ４１）。
【００８２】
つぎに、ステップＳ６１の場合と同様に、照合の結果、乱数が相互に一致していなければ、以後の処理を中止する。一方、乱数が相互に一致していれば、仮登録してある送信元アドレスと対応させて、カードＩＤをＤＢに登録する。
【００８３】
以上説明した処理手順によると、会員加入希望者は、本実施形態の会員加入促進システムを利用してサーバ２００に係る会員に加入するためには、
（１）空メール送信（ステップＳ３１）のために、「会員登録ボタン」をクリックすること、
（１）アプリケーションプログラムをダウンロードするために（ステップＳ３６）、「ダウンロード要求ボタン」をクリックすること、
（３）カードＩＤを読み取るために（ステップＳ３９）ために、リーダ１００をＰＣに接続すること及びＩＣカードをリーダ１００に翳すことという、３つの処理を行えばよい。
【００８４】
なお、本実施形態では、ＰＣ４００に対してサーバ２００からアプリケーションプログラムをダウンロードする場合を例に説明したが、アプリケーションプログラムは、アプリケーションサーバからダウンロード可能としておいてもよい。
【実施例】
【００８５】
図５は、本発明の実施例の会員加入促進システムの動作を示すタイムチャートである。なお、図５には、内容理解の容易さのために、会員加入希望者及び店員の動作も示している。
【００８６】
本実施例では、実施形態に示した場合と異なり、カードＩＤをコード化したコード（例えば、ＱＲコード）を発行するＰＯＳ機能などを有する専用端末６００を用いる。専用端末６００は、店舗に設置されていて、リーダ１００に接続される。このため、専用端末６００は、リーダ１００で読み取られたＩＣカード内のカードＩＤを入力して、カードＩＤをコード化したＱＲコードを図示しないプリンタなどを通じて出力することが可能となる。
【００８７】
本実施例の場合には、例えば、会員加入希望者がリーダ１００及び専用端末６００の設置店で買物をして、ＩＣカードを利用して購入代金の支払を行った場合に発行されるレシート内に、ＱＲコードを含めることも可能となる。こうすれば、会員加入機会が増大するので、会員の加入促進を一層充実させることも可能となる。
【００８８】
会員加入希望者又は店員がＩＣカードをリーダ１００に置く。これにより、ＩＣカードがリーダ１００に対して所定距離内に位置することになるので、リーダ１００は、ＩＣカード内に格納されているカードＩＤを読み取り可能状態となる（ステップＳ７１）。
【００８９】
この状態で、店員が、専用端末６００に付帯する「入会ボタン」を押下すると、対応する指示が専用端末６００に出力される（ステップＳ７２）。
【００９０】
専用端末６００は、この指示を入力すると、リーダ１００に対してカードＩＤの読取命令を出力する（ステップＳ７３）。リーダ１００は、当該命令に応じてＩＣカードからカードＩＤの読み取りを行い、読み取ったカードＩＤに対して自リーダに割り当てられているリーダＩＣを付加して専用端末６００へ出力する（ステップＳ７４）。
【００９１】
専用端末６００は、カードＩＤ及びリーダＩＣを入力すると、入力されたカードＩＤ及びリーダＩＣをサブジェクトに設定し、かつ、内蔵するメモリ等に予め登録されているサーバ２００の「会員加入用メールアドレス」を読み出して、送信先に設定したデータを作成する。そして、専用端末６００が、当該データに対応するＱＲコードを作成する（ステップＳ７５）。
【００９２】
そして、専用端末６００は、図示しないプリンタに対して、ＱＲコードに対応する印刷データを出力する。プリンタが、印刷データに従って印刷用紙に印刷処理を実行すると、店員は、そのＱＲコードの印刷物を入手できる（ステップＳ７６）。
【００９３】
店員が、会員加入希望者に、その印刷物に印刷されているＱＲコードを手渡すなどすれば、会員加入希望者は、そのＱＲコードを通じて、会員加入処理を行うことが可能となる（ステップＳ７７）。
【００９４】
その後、会員加入希望者が、リーダ１００に置いたＩＣカードを取り（ステップＳ７８）、更に、例えば携帯電話機３００を操作することによって、携帯電話機３００に搭載されている撮像手段を通じて、上記ＱＲコードを撮像すると（ステップＳ７９）、携帯電話機３００では、既知のアプリケーションプログラムにより、「会員加入用メールアドレス」宛てのメールが作成を行う。
【００９５】
引き続き、会員加入希望者が携帯電話機３００に対して所要の操作をすると、ネットワーク５００を介して、当該メールがサーバ２００に送信され、サーバ２００では、通信手段２１０が、リーダ１００から送信されるメールを受信する（ステップＳ８０）。
【００９６】
サーバ２００では、照合手段２６０が、受信したメールの送信元（メールアドレス）に基づいてＤＢを参照して、そのメールアドレスがＤＢに既に登録されていか否かの照合を行う（ステップＳ８１）。
【００９７】
照合の結果、受信したメールのメールアドレスがＤＢに既に登録されていなければ、登録手段２５０は、そのメールに含まれる送信元のメールアドレスと、カードＩＤと、リーダＩＤとを一組として、仮登録を行うためにＤＢに登録する。この際、本登録に移行するための処理を会員加入希望者から行わせるために、予め定められているポイント数を、上記メールアドレス等とともに、ＤＢに登録してもよい（ステップＳ８２）。
【００９８】
つぎに、サーバ２００が、上記のカードＩＤ及びリーダＩＤを含む「本登録用ＵＲＬ」を作成して、上記送信元のメールアドレス宛に送信すると、携帯電話機３００によって、「本登録用ＵＲＬ」が受信される（ステップＳ８３）。
【００９９】
本実施例の場合には、「本登録用ＵＲＬ」は、例えば、図５に例示するように、「https://domain/reg?cardid=xxxxxxxx&readerid=xxxxxx&mail=xxxx@xxxxxx」としていて、この場合には、「cardid=」から「&」までの間に「カードＩＤ」が含められ、「readerid=」から「&」までの間に「リーダＩＤ」が含められ、「mail=」から「&」までの間に「送信元のメールアドレス」が含められるようにしている。
【０１００】
会員加入希望者が、携帯電話機３００を操作することによって、「本登録用ＵＲＬ」を指定してサーバ２００にアクセスすると（ステップＳ８４）、対応する会員加入ページが、サーバ２００から携帯電話機３００に対して送信される（ステップＳ８５）。
【０１０１】
この結果、携帯電話機３００のディスプレイには、会員加入ページが表示されることになる。具体的には、上記のカードＩＤ及びリーダＩＤ及びメールアドレスをパラーメータとして、会員加入ページの初期画面表示がなされる。その後、会員加入希望者が、既知の手法のように、会員加入ページに設けられている入力欄に対して、任意のログイン用ＩＤ及びログイン用パスワードを入力し、かつ、登録ボタンを押下したとする。
【０１０２】
すると、携帯電話機３００からサーバ２００に対して、ログイン用ＩＤ等が、上記ＵＲＬに紐付けられた状態で、登録情報として送信され、サーバ２００でこれらが受信される（ステップＳ８６）。
【０１０３】
サーバ２００では、通信手段２１０が、携帯電話機３００から送信されたログイン用ＩＤ等を受信すると、これらに紐付けられたＵＲＬに含まれるカードＩＤに基づいてＤＢを参照して、仮登録済みのカードＩＤを特定して、それらに紐付けてログイン用ＩＤ等をＤＢに登録するという本登録を行う（ステップＳ８７）。
【０１０４】
サーバ２００は、本登録後に、その会員加入希望者（会員）に対して会員ページを割り当てる。会員ページとは、会員が、自己に付与されたポイント数を閲覧したり、当該ポイントを他のポイント、現金又は商品等と交換するための操作を行ったりするページである。その会員加入希望者（会員）がサーバ２００に対して、ログイン用ＩＤ等を送信すると、照合手段２６０によってログイン認証を経て、会員ページへのログインが可能となる。
【０１０５】
また、サーバ２００は、本登録を行った旨を、携帯電話機３００に返信する（ステップＳ８８）。
【０１０６】
一方、ステップＳ８１の照合処理の結果、受信したメールのメールアドレスがＤＢに既に登録されていれば、そのメールアドレスとともに送信されてきたカードＩＤを、当該メールアドレスに紐付けてＤＢに追加登録する（ステップＳ８９）。
【０１０７】
この結果、ＤＢには、一つのメールアドレスに対して、二つ以上のカードＩＤが紐付け手登録されることになる。
【０１０８】
また、サーバ２００は、追加登録を行った旨を、携帯電話機３００に返信する（ステップＳ９０）。
【０１０９】
以上説明した処理手順によると、会員加入希望者は、本実施例の会員加入促進システムを利用してサーバ２００に係る会員に加入するためには、
（１）カードＩＤを読み取るために（ステップＳ７４）、ＩＣカードをリーダ１００に置くこと（ステップＳ７１）、
（２）その後、ＩＣカードをリーダ１００から取ること（ステップＳ７８）、
（３）ＱＲコードを撮像という携帯電話機３００を操作すること（ステップＳ７９）、
（４）ＱＲコードの読み取りにより作成されたメールを送信するために（ステップＳ８０）、携帯電話機３００を操作すること、
（５）ログイン用パスワード等の登録情報をサーバ２００に送信するために（ステップＳ８６）、携帯電話機３００を操作すること、という処理を行えばよい。
【０１１０】
なお、本実施例によると、ＱＲコードの印刷物を会員加入希望者が入手するまでに、リーダ１００とサーバ２００との間の通信を行う必要がないので、会員加入希望者が早期にＱＲコードを入手することができ、かつ、通信輻輳を回避することも可能となる。
【０１１１】
なお、携帯電話機３００に代えてＰＣ４００を用いる場合には、一例として、ＰＣ４００に接続されるキーボードなどの外部入力装置を用いて、サーバ２００に割り当てられているメールアドレスを入力等して、ステップＳ８０の処理を実行すればよい。
【０１１２】
また、例えば、ＩＣカード内に、予め、携帯電話機３００に割り当てられているメールアドレスを登録しておき、かつ、専用端末６００をカードＩＤのみならず当該メールアドレスも読み取れるようにしておけば、ＱＲコードの読取作業等（ステップＳ７６〜Ｓ７９）を行うことなく、会員登録を行うことも可能となる。
【０１１３】
具体的には、専用端末６００に通信機能を備え、「入会ボタン」が押下された場合に（ステップＳ７２）、リーダ１００を通じてＩＣカードからメールアドレス及びカードＩＤを取得する。そして、それらにリーダＩＤを付して、ステップＳ８０と同様に、サーバ２００に送信すればよい。
【図面の簡単な説明】
【０１１４】
【図１】本発明の実施形態１の会員加入促進システムの機能ブロック図である。
【図２】図１に示す会員加入促進システムの動作を示すタイムチャートである。
【図３】本発明の実施形態２の会員加入促進システムの動作を示すタイムチャートである。
【図４】本発明の実施形態３の会員加入促進システムの動作を示すタイムチャートである。
【図５】本発明の実施例の会員加入促進システムの動作を示すタイムチャートである。
【符号の説明】
【０１１５】
１００  リーダ
２００  サーバ
３００  携帯電話機
４００  ＰＣ
５００  ネットワーク
２１０  通信手段
２２０  乱数生成手段
２３０  アドレス作成手段
２４０  コード作成手段
２５０  登録手段
２６０  照合手段
【図１】
2009048297.tif 000003
【図２】
2009048297.tif 000004
【図３】
2009048297.tif 000005
【図４】
2009048297.tif 000006
【図５】
2009048297.tif 000007